(57)【要約】      （修正有）【課題】軽量性および組み立て容易性を維持しつつ、高い強度を実現可能な構造物を提供する。【解決手段】構造物の骨組みは、支柱１１の外側面に設けられた溝に対し嵌合された状態で支柱１１に対し固定された縦框１２と、縦框１２に対し固定された上方横框１４と、それらにより構成される組み立て部材に対し取り付けられる補強プレート１５Ａとにより構成される。補強プレート１５Ａは、支柱１１の外側面に設けられた溝の１つに嵌合しつつ当接する溝当接部と、溝当接部から延伸し縦框１２および突起部を覆うように屈曲した連結部と、連結部から延伸し上方横框１４に当接する横框当接部とを有している。補強プレート１５Ａは溝当接部において支柱１１に対し、また横框当接部において上方横框１４に対し、ボルトの締め付けにより固定される。【選択図】図３
0003161681.tif 000002
【実用新案登録請求の範囲】
【請求項１】
長手方向に垂直な断面の外縁が矩形を示す柱状体である本体部と、長手方向に垂直な断面の外縁が当該矩形の４つの角部の各々に関し当該角部から外側に突起するように連続する所定形状を示す柱状体である４本の突起部とを有する支柱であって、長手方向が鉛直方向と一致するように床の上に配置された支柱と、
長手方向が水平方向と一致し、一の側端部が、前記本体部が有する４つの外側面のうちの一の外側面である第１の外側面と前記４本の突起部のうち前記第１の外側面の両側に位置する第１の突起部および第２の突起部とにより形成される第１の溝に嵌合固定された中間部材に対し当接した状態、もしくは前記第１の溝に嵌合されつつ前記第１の外側面に当接した状態で、前記支柱の下端部もしくは前記支柱の上端部から水平方向に延伸するように配置された柱状体である横框と、
前記本体部の４つの外側面のうち前記第２の突起部を挟んで前記第１の外側面と隣接する第２の外側面の一部と前記第２の突起部の外面の一部とに当接する屈曲もしくは湾曲した板状体である溝当接部と、前記溝当接部から延伸し前記第２の突起部の一部を覆うように屈曲もしくは湾曲した板状体である連結部と、前記連結部から延伸し前記横框の一部に当接する板状体である横框当接部とを有し、前記溝当接部において前記支柱に固定され、前記横框当接部において前記横框に固定された補強プレートと
を備える構造物。
【請求項２】
前記横框を第１の横框とした場合の前記第１の横框と同様の構造を備える第２の横框を備え、
前記第２の横框は、長手方向が水平方向と一致し、一の側端部が、前記本体部が有する４つの外側面のうちの前記第１の外側面と対向する位置の第３の外側面および前記４本の突起部のうち前記第３の外側面の両側に位置する第３の突起部および第４の突起部とにより形成される第３の溝に嵌合固定された中間部材に対し当接した状態、もしくは前記第３の溝に嵌合されつつ前記第３の外側面に当接した状態で、前記支柱の下端部もしくは前記支柱の上端部から水平方向に延伸するように配置され、
前記補強プレートの前記溝当接部は、前記第２の外側面を挟んで前記第２の突起部と隣接する前記第３の突起部の外面の一部に当接し、
前記補強プレートは、前記連結部を第１の連結部とし前記横框当接部を第１の横框当接部とした場合において、前記溝当接部から延伸し前記第３の突起部の一部を覆うように屈曲もしくは湾曲した板状体である第２の連結部と、前記第２の連結部から延伸し前記第２の横框の一部に当接する板状体である第２の横框当接部とを有し、前記第２の横框当接部において前記第２の横框に固定されている
請求項１に記載の構造物。
【請求項３】
前記本体部は管状体であり、
前記本体部が有する４つの内側面のうち少なくとも３つの内側面に当接する屈曲した板状体である補強ブロックを備え、
前記溝当接部は、前記本体部の管壁を挟んで隣接する前記補強ブロックに対し締め付けられることにより前記支柱に対し固定されている
請求項１または２に記載の構造物。
【請求項４】
前記横框は管状体であり、
前記横框の内側面に当接する板状体である当て板を備え、
前記横框当接部は、前記横框の管壁を挟んで隣接する前記当て板に対し締め付けられることにより前記横框に対し固定されている
請求項１乃至３のいずれかに記載の構造物。
【請求項５】
長手方向に垂直な断面の外縁が矩形を示す柱状体である本体部と、長手方向に垂直な断面の外縁が当該矩形の４つの角部の各々に関し当該角部から外側に突起するように連続する所定形状を示す柱状体である４本の突起部とを有する支柱であって、長手方向が鉛直方向と一致するように床の上に配置された支柱と、
長手方向が水平方向と一致し、一の側端部が、前記本体部が有する４つの外側面のうちの一の外側面である第１の外側面と前記４本の突起部のうち前記第１の外側面の両側に位置する第１の突起部および第２の突起部とにより形成される第１の溝に嵌合固定された中間部材に対し当接した状態、もしくは前記第１の溝に嵌合されつつ前記第１の外側面に当接した状態で、前記支柱の下端部もしくは前記支柱の上端部から水平方向に延伸するように配置された柱状体である第１の横框と、
長手方向が水平方向と一致し、一の側端部が、前記本体部が有する４つの外側面のうち前記第２の突起部を挟んで前記第１の外側面と隣接する第２の外側面と前記４本の突起部のうち前記第２の外側面の両側に位置する前記第２の突起部および第３の突起部とにより形成される第２の溝に嵌合固定された中間部材に対し当接した状態、もしくは前記第２の溝に嵌合されつつ前記第２の外側面に当接した状態で、前記支柱の下端部もしくは前記支柱の上端部から水平方向に延伸するように配置された柱状体である第２の横框と、
前記第１の横框の一部に当接する板状体である第１の横框当接部と、前記第１の横框当接部から延伸し前記第２の突起部の一部に当接する板状体である連結部と、前記連結部から延伸し前記第２の横框の一部に当接する板状体である第２の横框当接部とを有し、前記第１の横框当接部において前記第１の横框に固定され、前記連結部において前記第２の突起部に固定され、前記第２の横框当接部において前記第２の横框に固定された補強プレートと
を備える構造物。
【考案の詳細な説明】
【技術分野】
【０００１】
本考案は、支柱により支持される構造物の構造に関する。
【背景技術】
【０００２】
支柱により支持される構造物の強度を高めるための技術として、断面が矩形の支柱の互いに対向する２つの外側面に対し、補強プレートをボルト等により固定させる技術が提案されている（特許文献１および特許文献２）。
【先行技術文献】
【特許文献】
【０００３】
【特許文献１】特開平０６−２１２７０５
【特許文献２】特開平０６−２２９０６７
【考案の概要】
【考案が解決しようとする課題】
【０００４】
電話ボックスや樋門ハウス、休憩ルーム等のように、屋外もしくは屋内において外部の空間から隔離された空間を作り出すための構造物がある。
【０００５】
これらの構造物においては、主としてコスト削減の理由から、軽量かつ組み立て容易な構造の採用が望まれる。
【０００６】
構造物全体の軽量化を図るためには、構造物を支持する支柱を含む骨組みの軽量化が不可避である。しかしながら、特段の工夫なく骨組みを軽量化すれば構造物の強度は低下する。
【０００７】
ところで、近年、耐震性に関する安全基準の引き上げ等の理由により、構造物に求められる強度の水準が高まっている。
【０００８】
そこで本考案は、軽量性および組み立て容易性を維持しつつ、従来のものと比較して高い強度を実現可能な構造物を提供することを目的とする。
【課題を解決するための手段】
【０００９】
本考案は、上記の目的に鑑みて想到されたものであり、
長手方向に垂直な断面の外縁が矩形を示す柱状体である本体部と、長手方向に垂直な断面の外縁が当該矩形の４つの角部の各々に関し当該角部から外側に突起するように連続する所定形状を示す柱状体である４本の突起部とを有する支柱であって、長手方向が鉛直方向と一致するように床の上に配置された支柱と、
長手方向が水平方向と一致し、一の側端部が、前記本体部が有する４つの外側面のうちの一の外側面である第１の外側面と前記４本の突起部のうち前記第１の外側面の両側に位置する第１の突起部および第２の突起部とにより形成される第１の溝に嵌合固定された中間部材に対し当接した状態、もしくは前記第１の溝に嵌合されつつ前記第１の外側面に当接した状態で、前記支柱の下端部もしくは前記支柱の上端部から水平方向に延伸するように配置された柱状体である横框と、
前記本体部の４つの外側面のうち前記第２の突起部を挟んで前記第１の外側面と隣接する第２の外側面の一部と前記第２の突起部の外面の一部とに当接する屈曲もしくは湾曲した板状体である溝当接部と、前記溝当接部から延伸し前記第２の突起部の一部を覆うように屈曲もしくは湾曲した板状体である連結部と、前記連結部から延伸し前記横框の一部に当接する板状体である横框当接部とを有し、前記溝当接部において前記支柱に固定され、前記横框当接部において前記横框に固定された補強プレートと
を備える構造物
を第１の実施態様として提供する。
【００１０】
また、上記の第１の実施態様において、
前記横框を第１の横框とした場合の前記第１の横框と同様の構造を備える第２の横框を備え、
前記第２の横框は、長手方向が水平方向と一致し、一の側端部が、前記本体部が有する４つの外側面のうちの前記第１の外側面と対向する位置の第３の外側面および前記４本の突起部のうち前記第３の外側面の両側に位置する第３の突起部および第４の突起部とにより形成される第３の溝に嵌合固定された中間部材に対し当接した状態、もしくは前記第３の溝に嵌合されつつ前記第３の外側面に当接した状態で、前記支柱の下端部もしくは前記支柱の上端部から水平方向に延伸するように配置され、
前記補強プレートの前記溝当接部は、前記第２の外側面を挟んで前記第２の突起部と隣接する前記第３の突起部の外面の一部に当接し、
前記補強プレートは、前記連結部を第１の連結部とし前記横框当接部を第１の横框当接部とした場合において、前記溝当接部から延伸し前記第３の突起部の一部を覆うように屈曲もしくは湾曲した板状体である第２の連結部と、前記第２の連結部から延伸し前記第２の横框の一部に当接する板状体である第２の横框当接部とを有し、前記第２の横框当接部において前記第２の横框に固定されている
構成が第２の実施態様として採用されてもよい。
【００１１】
また、上記の第１または第２の実施態様において、
前記本体部は長管状体であり、
前記本体部が有する４つの内側面のうち少なくとも３つの内側面に当接する屈曲した板状体である補強ブロックを備え、
前記溝当接部は、前記本体部の管壁を挟んで隣接する前記補強ブロックに対し締め付けられることにより前記支柱に対し固定されている
構成が第３の実施態様として採用されてもよい。
【００１２】
また、上記の第１乃至第３のいずれかの実施態様において、
前記横框は管状体であり、
前記横框の内側面に当接する板状体である当て板を備え、
前記横框当接部は、前記横框の管壁を挟んで隣接する前記当て板に対し締め付けられることにより前記横框に対し固定されている
構成が第４の実施態様として採用されてもよい。
【００１３】
さらに、本考案は、
長手方向に垂直な断面の外縁が矩形を示す柱状体である本体部と、長手方向に垂直な断面の外縁が当該矩形の４つの角部の各々に関し当該角部から外側に突起するように連続する所定形状を示す柱状体である４本の突起部とを有する支柱であって、長手方向が鉛直方向と一致するように床の上に配置された支柱と、
長手方向が水平方向と一致し、一の側端部が、前記本体部が有する４つの外側面のうちの一の外側面である第１の外側面と前記４本の突起部のうち前記第１の外側面の両側に位置する第１の突起部および第２の突起部とにより形成される第１の溝に嵌合固定された中間部材に対し当接した状態、もしくは前記第１の溝に嵌合されつつ前記第１の外側面に当接した状態で、前記支柱の下端部もしくは前記支柱の上端部から水平方向に延伸するように配置された柱状体である第１の横框と、
長手方向が水平方向と一致し、一の側端部が、前記本体部が有する４つの外側面のうち前記第２の突起部を挟んで前記第１の外側面と隣接する第２の外側面と前記４本の突起部のうち前記第２の外側面の両側に位置する前記第２の突起部および第３の突起部とにより形成される第２の溝に嵌合固定された中間部材に対し当接した状態、もしくは前記第２の溝に嵌合されつつ前記第２の外側面に当接した状態で、前記支柱の下端部もしくは前記支柱の上端部から水平方向に延伸するように配置された柱状体である第２の横框と、
前記第１の横框の一部に当接する板状体である第１の横框当接部と、前記第１の横框当接部から延伸し前記第２の突起部の一部に当接する板状体である連結部と、前記連結部から延伸し前記第２の横框の一部に当接する板状体である第２の横框当接部とを有し、前記第１の横框当接部において前記第１の横框に固定され、前記連結部において前記第２の突起部に固定され、前記第２の横框当接部において前記第２の横框に固定された補強プレートと
を備える構造物
を第５の実施態様として提供する。
【考案の効果】
【００１４】
本考案の第１の実施態様にかかる構造物は、例えば中間部材である縦框の長手方向を鉛直方向に向けて支柱の外表面に設けられた溝に対し水平方向に嵌め込み、横框の長手方向を水平方向に向けて縦框に取り付け、補強プレートの溝当接部を支柱の溝（横框および縦框を嵌合した溝に隣接する外表面に設けられた溝）に当接させて固定し、補強プレートの横框当接部を横框に当接させて固定することにより、容易に組み立て可能である。その組み立ての際、補強プレートの位置決めは、支柱の外表面に設けられた溝に対する嵌め合わせにより容易に行われ得る。
【００１５】
また、支柱に対し固定された補強プレートの溝当接部が支柱の外表面に設けられた溝に嵌合しているため、構造物の重量により補強プレートが支柱に対し水平方向にずれる等により構造物全体の強度が低下するという問題が生じることがない。その結果、補強プレートを備えない構造物と比較して、より高い強度を有する構造物が実現される。
【００１６】
なお、補強プレートは支柱と横框とが交わる部分（すなわち骨組みの角部）を正面から覆う程度の大きさの板状体であるため、例えば支柱の太さを太くすることにより同じ強度の構造物を実現する場合と比較し、補強のために増加する構造物全体の重量は僅かである。
【００１７】
本考案の第２の実施態様にかかる構造物においては、支柱を挟んで水平逆方向に各々延伸する２本の横框に対し１枚の補強プレートによる補強が施されている。従って、それら２本の横框の各々に対し１枚の補強プレートによる補強の施された構造物と比較し、組み立てがより容易であり構造物全体の重量増加も少ない。
【００１８】
本考案の第３の実施態様にかかる構造物においては、コスト削減および軽量化のため中空の管状体として形成された支柱の内側に、長手方向に垂直の断面が「コ」の字型もしくは「ロ」の字型の補強ブロックが当接するように配置されているため、支柱自体の強度がより高い。また、補強プレートが支柱の管壁を挟んで補強ブロックに対しボルト等により締め付けられているため、支柱に対する補強プレートの固定の強度も高い。
【００１９】
なお、補強ブロックの大きさは、その目的に照らし支柱の管壁を挟んで補強プレートに対向する領域を覆う程度でよく、補強ブロックの採用により増加する構造物全体の重量は僅かである。また、支柱の中空部に補強ブロックを挿入するだけで補強ブロックの配置が完了するため、その組み立てに困難は伴わない。
【００２０】
本考案の第４の実施態様にかかる構造物においては、コスト削減および軽量化のため中空の管状体として形成された横框の内側に、例えば矩形の板状体である当て板が当接され、補強プレートが横框の管壁を挟んで当て板に対しボルト等により締め付けられているため、横框に対する補強プレートの固定の強度が高い。なお、当て板の大きさは補強プレートが横框に対し固定される領域を覆う程度でよいため、当て板の採用により増加する構造物全体の重量は僅かである。
【００２１】
本考案の第５の実施態様にかかる構造物においては、支柱から互いに９０度の角度を成して水平方向に延伸する２本の横框に対し１枚の補強プレートによる補強が施されている。従って、互いに垂直に接する２つの壁面を備える構造物において、高い強度が実現される。
【００２２】
また、その組み立てにおいては、水平面上において支柱を挟んで９０度の角度をなすように配置された２本の横框の各々に対し、水平方向の断面が概ね「Ｌ」字形状をなす屈曲された板状体である補強プレートを当接して固定すればよく、その位置決めに困難は伴わない。補強プレートの採用により増加する構造物全体の重量が僅かである点は、第１の実施態様にかかる構造物に関し上述したものと同様である。
【図面の簡単な説明】
【００２３】
【図１】図１は、本考案の一実施形態にかかる構造物の側面概略図である。
【図２】図２は、本考案の一実施形態にかかる構造物の骨組みの側面図である。
【図３】図３は、本考案の一実施形態にかかる構造物の骨組みの上面図である。
【図４】図４は、本考案の一実施形態にかかる構造物の支柱の断面図である。
【図５】図５は、本考案の一実施形態にかかる構造物の縦框の断面図である。
【図６】図６は、本考案の一実施形態にかかる構造物の横框の断面図である。
【図７】図７は、本考案の一実施形態にかかる構造物の補強プレートの上面図および側面図である。
【図８】図８は、本考案の一実施形態にかかる構造物の当て板の側面図である。
【図９】図９は、本考案の一実施形態にかかる構造物の補強ブロックの側面図および上面図である。
【図１０】図１０は、本考案の一実施形態にかかる構造物の補強プレートの上面図および側面図である。
【図１１】図１１は、本考案の一実施形態にかかる構造物の補強プレートの上面図、側面図および矢視図である。
【考案を実施するための形態】
【００２４】
（実施形態）
以下、本考案の一具体例である実施形態について、図面を用いて説明する。図１は、本実施形態にかかる構造物１の側面概略図である。構造物１は、屋内もしくは屋外に設置される休憩ルームであり、まず床を形成する土台部１０を備えている。土台部１０の上面に形成される床の上には、長手方向が鉛直方向となるように載置された複数の支柱１１が土台部１０に対し固定されている。
【００２５】
図１における支柱１１の右側面および左側面には各々、長手方向が鉛直方向となるように配置された縦框１２が支柱１１に寄り添うように取り付けられている。なお図１において、縦框１２は支柱１１と一体表示されている。
【００２６】
互いに間隔をおいて隣接する２本の支柱１１の各々の下端部の間には、長手方向が水平方向となるように下方横框１３が配置されている。同様に、それら２本の支柱１１の各々の上端部の間には、長手方向が水平方向となるように上方横框１４が配置されている。
【００２７】
支柱１１およびそれに取り付けられた縦框１２、下方横框１３および上方横框１４により構成される矩形の枠（以下、「壁面枠」と呼ぶ）の四隅の各々には補強プレート１５が取り付けられている。このように補強プレート１５が取り付けられているため、例えば壁面枠の水平方向の歪みが抑制され、支柱１１が鉛直方向の位置を保つことができる。その結果、支柱１１の耐荷重能力が維持される。
【００２８】
互いに対向する２本の縦框１２の間には、横桟１６が２本、配置されている。横桟１６は、例えばボルトによる締め付けにより縦框１２に対し固定されている。横桟１６は、壁面枠の強度をさらに高めるとともに、壁面枠の内側の領域を複数の区画に分割することによりそれらの区画に配置される壁板１７の各々の面積を小さくすることで壁板１７の撓みや強度不足を回避する役割を果たす。
【００２９】
壁面枠の内側の領域には、横桟１６により区分された各々の区画に関し壁板１７が取り付けられている。壁板１７は、例えばその外縁において接する下方横框１３、上方横框１４、縦框１２もしくは横桟１６に設けられた溝に対し嵌め込まれることにより、壁面枠に対し固定されている。このように壁板１７の取り付けられた壁面枠が構造物１の壁面を構成する。壁板１７は例えば透明もしくは半透明なガラス板や、透明もしくは不透明な板等である。
【００３０】
図１における中央付近左右に配置された２本の支柱１１の間には、ユーザが出入りする際に開閉されるドア１８が配置されている。また、壁面の上には屋根１９が載置され、例えば支柱１１に対し固定されている。
【００３１】
構造物１は、特に補強プレート１５により補強の施された壁面枠（以下、「骨組み」という）の構造にその特徴がある。従って、以下にその骨組みの構造に関し詳しく説明する。
【００３２】
図２は、構造物１が備える骨組みの一例である骨組み２０の側面図である。骨組み２０は２つの枠が同一平面上に左右に並んだフォーメーションを有している。このようなフォーメーションの骨組み２０には、各々形状の異なる３種類の補強プレート１５、すなわち図２における中央下部および中央上部に取り付けられる補強プレート１５Ａと、右下隅部および左上隅部に取り付けられる補強プレート１５Ｂと、左下隅部および右上隅部に取り付けられる補強プレート１５Ｃとが用いられている。
【００３３】
図３は、図２における骨組み２０の中央付近の上面図である。構造物１の骨組みは以下に説明する組み立てにより形作られる。
【００３４】
まず、骨組みの中心をなす部材は支柱１１である。図４は、支柱１１の断面（図４（ａ））とその寸法（図４（ｂ））（単位はミリメートル、以下同様）を示した図である。図４に示されるように、支柱１１の長手方向に垂直な断面の形状は、中空の矩形と、その矩形の４つの角部の各々から外方向に突起するように延伸する概ね二等辺三角形状の突起（合計、４つ）とから成る。
【００３５】
すなわち、支柱１１は断面が中空の矩形の管状体である本体部１１１と、その本体部の外面に形作られる４本の稜線部分に各々配置された概ね二等辺三角柱状体である突起部１１２−１乃至４とが一体に成形された部材である。
【００３６】
突起部１１２の各々には、長手方向に貫通するとともに、長手方向に対し垂直方向にも開口部を有する円柱形状の中空部が設けられている。この中空部は、支柱１１の軽量化および低コスト化に貢献するとともに、土台部１０に対する支柱１１の固定や、支柱１１に対する屋根１９の固定等において、ボルト受けの孔としても利用され得る。
【００３７】
支柱１１の素材は例えばアルミニウムである。支柱１１は中空であるため、軽量化および低コスト化が図られているが、突起部１１２が設けられていることにより、突起部１１２が設けられていない単なる矩形の管状体よりもその強度が高められている。
【００３８】
突起部１１２は、上述のように支柱１１の強度向上に貢献するだけでなく、本体部１１１とともに支柱１１の外面に４本の溝を形成することで、以下に説明するように、支柱１１に対する縦框１２や補強プレート１５の嵌合を可能とする。
【００３９】
本体部１１１の外面は、突起部１１２−１と突起部１１２−２に挟まれた部分である外側面１１３−１、突起部１１２−２と突起部１１２−３に挟まれた部分である外側面１１３−２、突起部１１２−３と突起部１１２−４に挟まれた部分である外側面１１３−３、突起部１１２−４と突起部１１２−１に挟まれた部分である外側面１１３−４から構成される。
【００４０】
外側面１１３−１と、その両側に位置する突起部１１２−１および突起部１１２−２は、突起部１１２に設けられた中空部を無視すれば、断面が「コ」の字形状を示す溝１１４−１を形成する。同様に、外側面１１３−２と突起部１１２−２および突起部１１２−３は溝１１４−２を、外側面１１３−３と突起部１１２−３および突起部１１２−４は溝１１４−３を、外側面１１３−４と突起部１１２−４および突起部１１２−１は溝１１４−４を、各々形成する。
【００４１】
図５は、縦框１２の長手方向に垂直な断面を、その寸法とともに示した図である。図５に示されるように、縦框１２の断面の形状は、中空の矩形と、その矩形から外側に延伸する複数の突起とから成る。従って、縦框１２は矩形の管状体である本体部の外側に長手方向に延びるレール状の突起部が複数設けられた構造を有している。これらの突起部は、当接される壁板１７等の他の部材の嵌合や下方横框１３もしくは上方横框１４との係合等に用いられる。なお、縦框１２の素材は例えばアルミニウムである。
【００４２】
縦框１２は、図３に示されるように、例えば溝１１４−１および溝１１４−３にその一の側端部が嵌合され、その側端部が外側面１１３−１および外側面１１３−３に当接された状態で、例えばネジにより支柱１１に対し固定される。
【００４３】
図６は、下方横框１３および上方横框１４の長手方向に垂直な断面を、その寸法とともに示した図である。図６に示されるように、下方横框１３および上方横框１４の断面の形状は、中空の平板な矩形と、その矩形から外側に延伸する複数の突起とから成る。従って、下方横框１３および上方横框１４は平板な矩形の管状体である本体部の外側に長手方向に延びるレール状の突起物が複数設けられた構造を有している。これらの突起部は、当接される壁板１７等の他の部材の嵌合や、下方横框１３もしくは上方横框１４に対する補強プレート１５の固定等に用いられる。なお、下方横框１３および上方横框１４の素材は例えばアルミニウムである。
【００４４】
上方横框１４は、図３に示されるように、その一の側端部が、例えば支柱１１に対し固定された縦框１２の支柱１１とは反対側に位置する側端部に当接された状態で、例えばボルトの締め付けにより縦框１２に対し固定される。なお、図３には示されないが、下方横框１３も同様に縦框１２に対し固定される。
【００４５】
図７は、補強プレート１５Ａの上面（図７（ａ））および側面（図７（ｂ））を、その寸法とともに示した図である。補強プレート１５Ａは、例えばステンレス製の板状体をプレス加工等により屈曲させたものであり、側方から見た時に二等辺三角形の角部を切り落としたような形状をしている。補強プレート１５Ａは、図３に示されるように、支柱１１、縦框１２および上方横框１４（または下方横框１３）の組み立て部材に対し取り付けられる際の役割により、以下の５つの部分に区分される。
【００４６】
（１）溝当接部１５１：溝１１４−２に嵌合し当接する部分。
（２）連結部１５２−１：溝当接部１５１から図における右方向に延伸し、突起部１１２−２および図における支柱１１の右側に取り付けられた縦框１２を覆うように屈曲した部分。
（３）連結部１５２−２：溝当接部１５１から図における左方向に延伸し、突起部１１２−３および図における支柱１１の左側に取り付けられた縦框１２を覆うように屈曲した部分。
（４）横框当接部１５３−１：連結部１５２−１から図における右方向に延伸し、図における支柱１１の右側に縦框１２を挟んで取り付けられた上方横框１４（または下方横框１３）に当接する部分。
（５）横框当接部１５３−２：連結部１５２−２から図における左方向に延伸し、図における支柱１１の左側に縦框１２を挟んで取り付けられた上方横框１４（または下方横框１３）に当接する部分。
【００４７】
補強プレート１５Ａは、その溝当接部１５１が溝１１４−２に嵌合された後、予め支柱１１および上方横框１４（または下方横框１３）に開けられているボルト受けの孔が、同じく予め補強プレート１５Ａに開けられているボルト受けの孔と一致するように上下方向に移動される。
【００４８】
上記のように支柱１１、縦框１２および上方横框１４（または下方横框１３）の組み立て部材に対する位置決めが行われた補強プレート１５Ａは、複数のボルトによりその組み立て部材に対し締め付け固定される。
【００４９】
その締め付け固定を可能とするために、まず上方横框１４（または下方横框１３）の内側面には、ネジ谷が切られたボルト受けの孔が開けられた当て板３１が当てられる。図８は、当て板３１の側面をその寸法とともに示した図である。当て板３１は、例えばステンレス製の板状体である。
【００５０】
当て板３１が当てられた状態でボルトを補強プレート１５Ａおよび上方横框１４（または下方横框１３）のボルト受けの孔に通し、当て板３１のボルト受けの孔にねじ込むことにより、締め付け固定が行われる。ボルトのヘッド部と当て板３１による締め付けにより、補強プレート１５の横框当接部１５３と上方横框１４（または下方横框１３）が固定される。
【００５１】
また、支柱１１の管内中空部には、ネジ谷が切られたボルト受けの孔が開けられた補強ブロック３２が挿入される。図９は、補強ブロック３２の側面（図９（ａ））および上面（図９（ｂ））をその寸法とともに示した図である。補強ブロック３２は、例えばステンレス製の板状体をプレス加工等により屈曲させたものであり、上方から見た時に「コ」の字形状をしている。
【００５２】
補強ブロック３２が支柱１１の管内に挿入された状態でボルトを補強プレート１５Ａおよび支柱１１のボルト受けの孔に通し、補強ブロック３２のボルト受けの孔にねじ込むことにより、締め付け固定が行われる。ボルトのヘッド部と補強ブロック３２による締め付けにより、補強プレート１５の溝当接部１５１と支柱１１が固定される。
【００５３】
なお、補強ブロック３２は上述したように補強プレート１５Ａの支柱１１に対する締め付け固定のために用いられるだけでなく、支柱１１の強度向上にも貢献する。
【００５４】
以上が、支柱１１、縦框１２および上方横框１４または下方横框１３の組み立ての方法と、それらの組み立てにより得られる組み立て部材に対する補強プレート１５Ａの取り付けの方法の説明である。
【００５５】
補強プレート１５Ａは、支柱１１を間に挟んで２本の下方横框１３または上方横框１４が互いに１８０度、すなわち反対方向に延伸するように配置された場合における組み立て部材の補強に用いられる。これに対し、補強プレート１５Ｂおよび補強プレート１５Ｃは、図２に示されるように、支柱１１から１本の下方横框１３または上方横框１４が一方向にのみ延伸するように配置された場合における組み立て部材の補強に用いられる。
【００５６】
なお、補強プレート１５Ｃは補強プレート１５Ｂと勝手違い、すなわち上下または左右が逆である点を除き同じであるため、以下に補強プレート１５Ｂに関してのみ説明し、補強プレート１５Ｃに関する説明は省略する。
【００５７】
図１０は、補強プレート１５Ｂの上面（図１０（ａ））および側面（図１０（ｂ））をその寸法とともに示した図である。補強プレート１５Ｂは、図７に示される補強プレート１５Ａの概ね右半分を切り取ったような構造を有している。
【００５８】
補強プレート１５Ｂは、図１０に示されるように、支柱１１、縦框１２および上方横框１４（または下方横框１３）の組み立て部材に対し取り付けられる際の役割により、以下の３つの部分に区分される。
【００５９】
（１）溝当接部１５１：溝１１４に嵌合し当接する部分。
（２）連結部１５２：溝当接部１５１から図における右方向に延伸し、突起部１１２および支柱１１に取り付けられた縦框１２を覆うように屈曲した部分。
（３）横框当接部１５３：連結部１５２から図における右方向に延伸し、支柱１１に縦框１２を挟んで取り付けられた上方横框１４（または下方横框１３）に当接する部分。
【００６０】
なお、骨組み２０のうち補強プレート１５Ｂが取り付けられる部分の支柱１１、縦框１２および下方横框１３または上方横框１４の組み立て方法と、組み立てられた部材に対する補強プレート１５Ｂの取り付け方法は、支柱１１の片側にのみ縦框１２および下方横框１３または上方横框１４が取り付けられる点を除き、補強プレート１５Ａに関し上述したものと同様である。
【００６１】
構造物１の骨組みの組み立てにおいては、補強プレート１５Ａ、補強プレート１５Ｂおよび補強プレート１５Ｃのいずれとも異なる形状の補強プレート１５Ｄが用いられる場合がある。補強プレート１５Ｄは、壁面が上から見て「Ｌ」字に曲がる角部において、支柱１１を挟み２本の下方横框１３または上方横框１４が互いに９０度の角度をなす方向に延伸するように配置された場合における組み立て部材の補強に用いられる。
【００６２】
図１１は、補強プレート１５Ｄの側面（図１１（ａ））、上面（図１１（ｂ））および中間部分の面（図１１（ｂ）に示される矢印Ａの方向に対する正面）を、その寸法とともに示した図である。
【００６３】
補強プレート１５Ｄは、例えばステンレス製の概ね二等辺三角形の角部を切り落としたような形状の板状体をプレス加工等により屈曲させたものである。補強プレート１５Ｄは、図１１（ｂ）に示されるように、支柱１１、縦框１２および上方横框１４（または下方横框１３）の組み立て部材に対し取り付けられる際の役割により、以下の３つの部分に区分される。
【００６４】
（１）連結部２５１：突起部１１２に当接する部分。
（２）横框当接部２５２−１：連結部２５１から図１１（ｂ）における下方向に延伸し、支柱１１の外側面１１３（例えば、外側面１１３−１）に対し縦框１２を挟んで取り付けられた上方横框１４（または下方横框１３）に当接する部分。
（３）横框当接部２５２−２：連結部２５１から図１１（ｂ）における左方向に延伸し、支柱１１の外側面１１３（例えば、外側面１１３−２）に対し縦框１２を挟んで取り付けられた上方横框１４（または下方横框１３）に当接する部分。
【００６５】
補強プレート１５Ｄの横框当接部２５２−１および横框当接部２５２−２がボルトと当て板３１により下方横框１３または上方横框１４に締め付け固定される点は、補強プレート１５Ａに関し上述したものと同様である。
【００６６】
一方、補強プレート１５の支柱１１に対する固定は、補強ブロック３２を用いることなく、連結部２５１が当接する突起部１１２に予め設けられたネジ谷の切られたボルト受けの孔に対し、連結部２５１に設けられているボルト受け孔を通したボルトをねじ込むことにより行われる。
【００６７】
以上説明したように、構造物１はその骨組みが補強プレート１５により補強されているため、そのような補強が行われない従来の構造物と比較し、高い強度を有する。
【００６８】
補強プレート１５およびその取り付けに要する当て板３１、補強ブロック３２およびボルトの重量は構造物１全体もしくはその骨組み全体に対し僅かであり、それらのコストも安価である。従って、補強プレート１５の採用によって構造物１の軽量性、低コスト性が損なわれることはない。
【００６９】
さらに、補強プレート１５Ａ、補強プレート１５Ｂおよび補強プレート１５Ｃは、その溝当接部１５１を支柱１１の外側面に設けられた溝に嵌合し、上下位置を合わせるだけで位置決めをすることが可能であり、補強プレート１５Ｄはその角部を、互いに９０度の角度を成して接続された骨組みの角部に当接させ、上下位置を合わせるだけで位置決めをすることが可能である。従って、補強プレート１５の採用により、構造物１の組み立ての容易性が損なわれることもない。
【００７０】
（変形例）
上述した実施形態は本考案の一具体例であって、本考案の技術的思想の範囲内において様々に変形可能である。以下にそのような変形の例を示す。
【００７１】
上述した実施形態において示した構造物１の部材の数、サイズおよび素材は例示であって、本考案はそれらに限定されない。
【００７２】
上述した実施形態においては、縦框１２に対し下方横框１３もしくは上方横框１４が取り付けられるものとしたが、下方横框１３もしくは上方横框１４が支柱１１に直接当接した状態で支柱１１に対し取り付けられてもよい。その場合、縦框１２は例えば、下方横框１３と上方横框１４に挟まれた状態で支柱１１の溝１１４に嵌合される。
【００７３】
また、縦框１２は支柱１１と別体であるものとしたが、例えば支柱１１の側面に壁板１７を嵌め込む溝等を直接設けることにより縦框１２の機能を支柱１１に持たせ、縦框１２を用いることなく構造物１の骨組みを組み立て可能としてもよい。
【００７４】
上述した実施形態において補強ブロック３２はその断面が「コ」の字形状であるものとしたが、例えば「ロ」の字形状のように他の形状であってもよい。ただし、支柱１１の管内に挿入した際に、支柱１１に対する補強ブロック３２の位置が容易に定まるような形状およびサイズが選択されることが望ましい。
【００７５】
上述した実施形態において補強プレート１５は、下方横框１３もしくは上方横框１４に対し当て板３１に対するボルトの締め付けにより固定され、支柱１１に対し補強ブロック３２に対するボルトの締め付けにより固定される（補強プレート１５Ｄは除く）ものとしたが、下方横框１３もしくは上方横框１４や支柱１１の管壁の強度が十分であれば、それらの管壁に開けられたボルト受けの孔に対しネジ谷が切られることにより、当て板３１や補強ブロック３２を用いることなく補強プレート１５の取り付けを可能としてもよい。
【００７６】
さらに、補強プレート１５の取り付けはボルトの締め付けによるものに限られず、例えば金属製のトグラーを用いたネジ締めなど、ボルト以外を用いた締め付けにより補強プレート１５の取り付けが行われてもよいし、接着等の締め付け以外の方法により補強プレート１５の取り付けが行われてもよい。
【００７７】
上述した実施形態において補強プレート１５Ａ、補強プレート１５Ｂおよび補強プレート１５Ｃが備える連結部１５２はその断面が「Ｌ」字形状に屈曲しているものとしたが、例えば円弧状に湾曲していたり、突起部１１２および縦框１２に当接するように複雑に屈曲していたりしてもよい。
【００７８】
上述した実施形態において、支柱１１、縦框１２、下方横框１３および上方横框１４は中空な管状体であるものとしたが、軽量化、低コスト化のニーズが高くない場合には、中空でない柱状体がそれらに採用されてもよい。
【産業上の利用可能性】
【００７９】
本考案にかかる構造物は、屋内もしくは屋外に設置される電話ボックスや樋門ハウス、休憩ルーム等の簡易建造物において特に有用であって、建設業を含む様々な業種において利用され得る。
【符号の説明】
【００８０】
１…構造物、１０…土台部、１１…支柱、１２…縦框、１３…下方横框、１４…上方横框、１５…補強プレート、１６…横桟、１７…壁板、１８…ドア、１９…屋根、２０…骨組み、３１…当て板、３２…補強ブロック、１１１…本体部、１１２…突起部、１１３…外側面、１１４…溝、１５１…溝当接部、１５２…連結部、１５３…横框当接部、２５１…連結部、２５２…横框当接部
【図１】
0003161681.tif 000003
【図２】
0003161681.tif 000004
【図３】
0003161681.tif 000005
【図４】
0003161681.tif 000006
【図５】
0003161681.tif 000007
【図６】
0003161681.tif 000008
【図７】
0003161681.tif 000009
【図８】
0003161681.tif 000010
【図９】
0003161681.tif 000011
【図１０】
0003161681.tif 000012
【図１１】
0003161681.tif 000013